Podtech/llm-jp-corpus-v4-ja_patent huggingface dataset:
(57)【要約】【課題】サッシの窓枠を全開出来るよう複数サッシ全体を戸袋に収納させるため、敷居を延長させたサッシとしたこと。【解決手段】住宅工事における金属性建具として窓枠その他出入口に取り付けるサッシの構造に於いて、サッシ枠体の留板８から戸袋内の背板９のところ迄、枠体と共に敷居３、４を延長し、複数のサッシ１、２は戸袋の中に全て収めるように成し、それら複数のサッシ１、２の間と戸袋口に夫々鍵１１、１２及び網戸５、雨戸６を備えた、窓枠を全面に広く開放できるようにしたことを特徴とするサッシの構造。【選択図】図１
0003111429.tif 000002
【実用新案登録請求の範囲】
【請求項１】
住宅工事における金属性建具として窓枠その他出入口に取り付けるサッシの構造に於いて、サッシ枠体の留板８から戸袋内の背板９のところ迄、枠体と共に敷居３、４を延長し、複数のサッシ１、２は戸袋の中に全て収めるように成し、それら複数のサッシ１、２の間と戸袋口に夫々鍵１１、１２及び網戸５、雨戸６を備えた、窓枠を全面に広く開放できるようにしたことを特徴とするサッシの構造。
【考案の詳細な説明】
【技術分野】
【０００１】  本考案は、住宅工事においてそれに用いる金属性の建具としてのサッシ、とりわけアルミサッシの改良に関する。
【背景技術】
【０００２】  近年、住宅建設工事において金属性建具が広く利用され、密閉性のよさ、耐久性のよさ、しかも、軽量であることからアルミサッシの利用量は続伸しているものと考えられる。
金属性のものとしては鉄製のものもあるが、耐酸化性においてアルミニウムが数段優れているからその理由も理解できるところである。【０００３】  アルミサッシの製造に当たっては、普通、一般住宅以外の工事にはアルミサッシの施工図が描かれることは稀と言える。その理由は、特注サッシの品質管理には限界があると感じられており、サッシメーカーから製品をガラス屋さんに引き渡したのちはタッチすること無く、住宅への取付けは専ら大工職の範疇となる事に起因していると考えられる。【０００４】  本考案においては、大工仕事との関係もあるが、一例をあげれば、従来一間の窓枠にサッシを設置した場合、従来の製品では一間の柱の間で９００ミリしか窓の開放が出来ず、間口が二間の場合は普通４枚のサッシがはまって、全部開いても一間しか開かない。一間半の間口に二枚のガラス戸を収める場合は１３６５ミリしか開放することが出来ない。【０００５】  本考案に関する従来技術との対比を行うべく文献を模索したが、知見する根拠となる適当なものが見当たらないためここでは従来技術を割愛する。
【考案の開示】
【考案が解決しようとする課題】
【０００６】  本考案によって解決しようとする問題点は、サッシの窓枠が例えば一間の場合、その全面を開放してしまう方法として如何なる手段を講ずべきかを考案の課題と成し、従来品の左の柱１６から１８２０ミリ（一間のところ）の柱を半柱１５として（図１）、サッシの敷居（レール）３、４を戸袋内に延長して一間二枚のサッシを戸袋内に収められるようアルミサッシ枠体を製作することによってそれを解決するに至り、枠体及び敷居を９１０ミリ延長してサッシを完全に戸袋内にスライド出来るようにして、柱１７の背板９のストッパー（図示せず）で留める構造を採ったことによる。
【課題を解決するための手段】
【０００７】  本考案は、以下に記載する構成を有する。
住宅工事における金属性建具として窓枠その他出入口に取り付けるサッシの構造に於いて、サッシ枠体の留板８から戸袋内の背板９のところ迄、枠体と共に敷居３、４を延長し、複数のサッシ１、２は戸袋の中に全て収めるように成し、それら複数のサッシ１、２の間と戸袋口に夫々鍵１１、１２及び網戸５、雨戸６を備えた、窓枠を全面に広く開放できるようにしたことを特徴とするサッシの構造とした。
【考案の効果】
【０００８】  本考案に係るアルミサッシ枠体は、図２の従来の施行方法における左右の両柱１６、１８間のサッシ枠体開口部を全面開放するために、戸袋側の柱１８を図１のように半柱１５としてサッシの移動の障害とならないようにし、複数のサッシの敷居（レール）３、４を一枚のサッシ幅だけ戸袋内（戸袋が無い場合もあるが敷居３、４の延長に関しては同様な構成である）に延長した構造のサッシ枠体としたため、例えば一間幅のサッシである場合それを開放すれば窓からの景色が広々と眺めることができ、掃きだし窓であればサッシを外すこと無く大型の家具などを搬出入する事が可能となった。
【考案を実施するための最良の形態】
【０００９】  本考案において、網戸に関しては二本の敷居を設ける事については目的により適宜実施できるが、通常は外気導入の目的や虫の予防のためには、延長した一本の敷居で二枚の網戸を用意しておけば十分と考えられる。【００１０】  一般に、サッシ取付けに際しての各部分との取り合いについて、防水性、防音性は欠くべからざる事項で、防水紙との関係やサッシと土台や補助材などの躯体、サッシの養生等建築工事面での柱との取り合いなどは特に留意すべき問題である。【００１１】  住宅工事との関係上で重要なことは、図２の柱１８に変えて図１の半柱１５とする場合でも二階の強度など、また、二間の間口となると張り板の強度や収めるサッシの枚数によっても、延長すべき敷居の長さも当然支障がないように設定されなくてはならない。
【実施例】
【００１２】  次に、本考案のサッシの実施例を図面との対比において説明すると、図１は本考案に係るアルミサッシの平面図を示し、サッシ枠体に右サッシ１と左サッシ２を敷居３、４上に納め、外側に網戸５、雨戸６を備え、戸袋のカガミ板１０、鍵１１、１２、及び化粧板張り１３、枠体とめ螺子１４から成り立つ。図中７は網戸敷居、１５は半柱、１６、１７は柱、１９は間柱を示す。
【比較例】
【００１３】  図２は、従来品のアルミサッシを示す平面図で、８’は留板、１８は柱である。従来品は、図からも明らかなように窓枠全体をもってしても片方一枚のサッシ分の９１０ミリしか開放出来ないが、図１の本考案に係るアルミサッシは柱１６から半柱１５までの１８２０ミリの全開放をさせることが可能となる。
【産業上の利用可能性】
【００１４】  一般住宅街に於ける家屋はもとより、観光地の住宅、旅館、ホテル、ペンション等での窓辺からの空気清涼感を満喫したり、採光の関係など求める事情を考慮して、出来るだけ窓を広く開放すること、及び掃きだし窓等にあっては、前記した解放感を満喫できることはもとより、ペンションに限らず大型家具の搬出入等に非常な便利性を発揮され、利用度も高く、メーカーサイドにおいても製作に際して特段の問題もないと考えられ広い利用可能性を持つものと思考される。
【図面の簡単な説明】
【００１５】
【図１】本考案に係るアルミサッシの平面図
【図２】従来品に係るアルミサッシの平面図
【符号の説明】
【００１６】１    右サッシ
２    左サッシ
３、４  敷居
５    網戸
６    雨戸
７    網戸敷居
８、８’留板
９    背板
１０  カガミ板
１１、１２  鍵
１３  化粧板張り
１４  枠体とめ螺子
１５  半柱
１６、１７、１８  柱
１９  間柱
【図１】
0003111429.tif 000003
【図２】
0003111429.tif 000004
(57)【要約】【課題】  無落雪屋根における排水装置に関し、屋根上の融雪水を氷結させることなく確実に排水することができるようにする。【解決手段】  本考案に於いては、無落雪屋根の傾斜下端に該屋根１の全長にわたって設けられた横樋２と、該横樋２底部にドレン３を介して連結された排水縦樋５と、該排水縦樋５下部に連結された排水桝６とから成り、該排水桝６を地中に埋設して地熱を吸収し、これに連結する該排水縦樋５内の空気を暖気することで該排水縦樋５と該ドレン３及び該ドレン口４付近を常時暖め氷結を防ぐとともに、該横樋２に集まる積雪の融解を促し融雪水を確実に該排水縦樋５に導き排水する構造とした。【選択図】図１
0003111422.tif 000002
【実用新案登録請求の範囲】
【請求項１】
無落雪屋根の傾斜下端に該屋根１の全長にわたって設けられた横樋２と、該横樋２底部にドレン３を介して連結された排水縦樋５と、該排水縦樋５下部に連結された排水桝６とから成り、該排水桝６を地中に埋設して地熱を吸収し、これに連結する該排水縦樋５内の空気を暖気することで該排水縦樋５と該ドレン３及び該ドレン口４付近を常時暖め氷結を防ぐとともに、該横樋２に集まる積雪の融解を促し融雪水を確実に該排水縦樋５に導き排水することを特徴とした無落雪屋根の排水構造。
【考案の詳細な説明】
【技術分野】
【０００１】  本考案は、無落雪屋根における排水装置に関し、屋根上の融雪水を氷結させることなく確実に排水することができるようにする無落雪屋根排水装置の構造に関するものである。
【背景技術】
【０００２】  従来より、無落雪形の屋根を有する建物に於いては、該屋根の左右の傾斜面から徐々に中央部の横樋に向かって集められる積雪を自然融解させ、排水縦樋に融雪水を導き排水する構造のものが多く提案されている。
【考案の開示】
【考案が解決しようとする課題】
【０００３】  しかしながら、上述したような従来の方法では、融雪水が夜間などに急冷されることで該横樋内や連結する該ドレン内、さらには該排水縦樋内までが氷結し、融雪水が良好に排水できなくなる問題点を有していた。
【課題を解決するための手段】
【０００４】  本考案に於いては、無落雪屋根の傾斜下端に該屋根１の全長にわたって設けられた横樋２と、該横樋２底部にドレン３を介して連結された排水縦樋５と、該排水縦樋５下部に連結された排水桝６とから成り、該排水桝６を地中に埋設して地熱を吸収し、これに連結する該排水縦樋５内の空気を暖気することで該排水縦樋５と該ドレン３及び該ドレン口４付近を常時暖め氷結を防ぐとともに、該横樋２に集まる積雪の融解を促し融雪水を確実に該排水縦樋５に導き排水する構造とした。
【考案の効果】
【０００５】  本考案によれば、地熱を利用することで経済的かつ安全に無落雪屋根における該横樋内や該ドレン内あるいは該排水縦樋内の氷結を防ぎ、該横樋に集まる積雪の融解を促し融雪水を確実に排水縦樋に導き排水することができる。また、排水桝の排水口から貯水槽に連結させてもよく、雨水や融雪水を該貯水槽に蓄えることで生活水などの一部として利用できる効果もある。
【考案を実施するための最良の形態】
【０００６】  以下、本考案の実施の形態について、図面を参照して説明する。
図１に示すように、本考案に於いては、無落雪屋根の傾斜下端に該屋根１の全長にわたって設けられた横樋２と、該横樋２底部にドレン３を介して連結された排水縦樋５と、該排水縦樋５下部に連結された排水桝６とから成り、該排水桝６を地中に埋設して地熱を吸収し、これに連結する該排水縦樋５内の空気を暖気することで該排水縦樋５と該ドレン３及び該ドレン口４付近を常時暖め氷結を防ぐとともに、該横樋２に集まる積雪の融解を促し融雪水を確実に該排水縦樋５に導き排水する構造とした。
【図面の簡単な説明】
【０００７】
【図１】  本考案に於ける無落雪屋根の排水構造の実施例を示した概略図である。
【符号の説明】
【０００８】  １    屋根
２    横樋
３    ドレン
４    ドレン口
５    排水縦樋
６    排水桝
７    排水管
８    貯水槽
９    排水溝
１０    地面
１１    雪
【図１】
0003111422.tif 000003
(57)【要約】【課題】本考案は挿し木、苗木、つる性の植える植物を形の良い物と、強い物をつくるための鉢を課題とした。【解決手段】0003111421.tif 000005え棒を設けた台が脱着出来る構成により解決手段とした。【選択図】図１
0003111421.tif 000002
【実用新案登録請求の範囲】
【請求項１】
鉢内底に支え棒を設けた台を脱着出来ることを特徴とした苗木支え棒つき鉢。
【考案の詳細な説明】
【技術分野】
【０００１】本考案は植木鉢に関する。
【背景技術】
【０００２】鉢植に土を設け、棒を差し込み使用は古来より知られている。
【考案の開示】
【考案が解決しようとする課題】
【０００３】しかしながら鉢植に入れられる土質によっては、支え棒を差し込みしても自然に倒れ、支え棒の役目されず欠点がある。
【課題を解決するための手段】
【０００４】本考案は支え棒を台に固定して設け、鉢内底にフック、ネジ込みで接合、脱着出来る構造により、上記を解決するものである。
【考案を実施するための最良の形態】
【０００５】図１に示すように、鉢の中に取り付けられる支え棒が固定された台からなり、下部
0003111421.tif 000003
皿雌形成にして接合、脱着出来る形態。
【考案の効果】
【０００６】挿し木、苗木、つる性の植物を植える時、支え棒に固定すれば、植物に安定性が出来、良い形の植物が出来る効果がある。
【図面の簡単な説明】
【図１】本考案に係る苗木支え棒つき鉢の概観図である。
【図２】本考案に係る苗木支え棒つき鉢の断面側面図である。
【符号の説明】
１    鉢
２    支え棒
３    支え棒台
0003111421.tif 000004
【図１】
0003111421.tif 000006
【図２】
0003111421.tif 000007
(57)【要約】      （修正有）【課題】原理的に巻き乱れが発生せず、巻き取り、繰り出しの動作がスムーズであり、また、ホースの巻き付け位置を誘導するガイド機構が不要なので、部品数が少なく、経済的で、信頼性が高い１条巻舵輪形ホースリール。【解決手段】本考案のホースリールは、巻取ドラムの巻付幅をホース直径と同一にし、巻取フランジとフランジ兼用舵輪で挟まれる狭い空間に、１条でホースを巻き取り、収納する。また本考案のホースリールは、２枚のフランジのうち１枚を舵輪の形にし、モーメントアームを長くして巻き取りに要する力を軽減するとともに、多数の取手を設けて、巻き取り操作を簡単確実にする。【選択図】図１
0003111423.tif 000002
【実用新案登録請求の範囲】
【請求項１】
ホースを１条で巻き取ることにより、巻き乱れを防止するとともに、薄型となったことを特徴とする１条巻舵輪形ホースリール。
【請求項２】
ホースを巻き取るためのハンドルをフランジを兼ねた舵輪の形にして、巻き取りに要する力を軽減するとともに、多数の取手を設けて操作性を向上させたことを特徴とする１条巻舵輪形ホースリール。
【考案の詳細な説明】
【技術分野】
【０００１】
本考案は、ホースを１条で巻き取り収納する舵輪形のホースリールに関する。
【背景技術】
【０００２】
巻き乱れを防止する機構を備えたホースリールとして公報に掲載されたものには特開２０００３−３２１１６５号などがある。
【考案の開示】
【考案が解決しようとする課題】
【０００３】
従来のホースリールは、ホースをドラムに多条で巻き取る方式を採用しているため、巻き乱れが発生し、操作性が低下することがある。これを防止するため、ホースの巻き付け位置をドラム内の往復運動で誘導するガイド機構を設けているホースリールもあるが部品数が多く、相応のコストがかかる。
【０００４】
従来のホースリールは、主に地上に設置され、人が屈んだ姿勢で、半径の短い１本のハンドルを操作して巻き取る方法をとっていることから、巻き取り操作には相応の力が必要で、力の弱い子供や老人あるいは身体障害者等にとっては、扱い難いものになっている。
【課題を解決するための手段】
【０００５】
本考案請求項１のホースリールは、巻取ドラム内の巻付幅をホース直径と同一にし、巻取フランジとフランジ兼用舵輪で挟まれる狭い空間に、１条でホースを巻き取り、収納する。
【０００６】
本考案請求項２のホースリールは、２枚のフランジのうち１枚を舵輪の形にし、モーメントアームを長くして巻き取りに要する力を軽減するとともに、多数の取手を設けて、巻き取り操作を簡単確実にする。
【考案の効果】
【０００７】
本考案のホースリールは、ホースを１条で巻くので、原理的に巻き乱れが発生せず、巻き取り、繰り出しの動作がスムーズである。また、ホースの巻き付け位置を誘導するガイド機構が不要なので、部品数が少なく、経済的で、信頼性が高い。さらに巻取ドラムが扁平なので装置全体が薄型となる。なお、１条巻にすることで、多条式に比べ収納力が低下する点は、巻きの段数を増やすこと、つまり巻取フランジ径を大きくすることで解消するが、このことが逆にハンドルのモーメントアームを長くする利点を生む。
【０００８】
本考案のホースリールは、取手が舵輪の外縁にあり、モーメントアームが長いので巻き取りに要する力が軽減される。また取手を保持するための握力がさほど必要でなく、多数の取手が使えるので、非力な者でも片手あるいは両手を使って、身体障害者等でも特別な補助具や介添えなしに、簡単確実にホースを巻き取ることができる。
【０００９】
本考案のホースリールは、舵輪軸を地上から１メートル程度の高さに設置すれば、屈むことなく、立ち姿勢で楽に巻き取り操作をすることができるので、腰への負担が軽減される。
【考案を実施するための最良の形態】
【００１０】
本考案のホースリールは、ホースを１条で巻き取ることにより、巻き乱れが発生しなくなるとともに、部品数が少なく、機構が簡素化され、装置全体が薄型になるので、壁に掛けて、あるいは人が立って舵輪を操作する高さに固定して使用する。
【実施例】
【００１１】
以下、本考案の実施例を添付図面に従って説明する。
【００１２】
本考案のホースリールは、基礎部１、本体部１１、巻取ドラム４、巻取フランジ７、フランジ兼用舵輪５その他の部品で構成される。
【００１３】
巻取ドラム４などの回転部分は、回転盤８で本体部１１に接続され、取手６に加えられた力によって回転する。フランジガイドローラ３は回転盤８とともに回転部分の荷重を支持するとともに、巻取フランジ７の回転ぶれを防止する。
【００１４】
供給源からの固定ホース１０は本体部１１の内部空間を通過して、ホース回転コネクタ９に接続する。ホース回転コネクタ９から出た巻取ホース１２は巻取ドラム４内部を貫通した後、巻取ドラム４に巻き取られ、ホースガイドローラ２を経て放出側に至る。
【００１５】
巻取フランジ７とフランジ兼用舵輪５の間隔は、巻取ホース１２の直径と同一に設定してあり、この狭い空間にホースが１条で巻き取られ、収納される。
【図面の簡単な説明】
【００１６】
【図１】本考案ホースリールの実施形態の一例を示した正面図である。
【図２】本考案ホースリールを図１のＡＡ面で切断した断面図である。
【符号の説明】
【００１７】
１  基礎部
２  ホースガイドローラ
３  フランジガイドローラ
４  巻取ドラム
５  フランジ兼用舵輪
６  取手
７  巻取フランジ
８  回転盤
９  ホース回転コネクタ
１０  固定ホース
１１  本体部
１２  巻取ホース
【図１】
0003111423.tif 000003
【図２】
0003111423.tif 000004
【手続補正書】
【提出日】平成17年3月25日(2005.3.25)
【手続補正１】
【補正対象書類名】実用新案登録請求の範囲
【補正対象項目名】全文
【補正方法】変更
【補正の内容】
【実用新案登録請求の範囲】
【請求項１】
ホースを巻き取るドラムの巻付幅をホース直径と同一にして、巻き取り、収納の形態が必然的に１条になるように構成したことを特徴とする１条巻舵輪形ホースリール。
【請求項２】
ホースを巻き取るドラムの２枚のフランジのうち１枚を舵輪の形状にし、該舵輪を回転操作してホースの巻き取りができるように組み合わせたことを特徴とする請求項１記載の１条巻舵輪形ホースリール。
(57)【要約】【課題】  通常の装身具と変らない外観を持ち、必要小物の保管や記念、思い出の小物を入れられる多用途収納空間のある指輪を提供する。【解決手段】  本体（１）のリングと一体となった収納部（２）に蓋部（３）を設ける。  また、本体リング部（５）に開閉式接続収納部（６）を設ける。【選択図】    図２
0003111424.tif 000002
【実用新案登録請求の範囲】
【請求項１】
本体（１）のリングと一体となった収納部（２）に蓋部（３）（３）を設け、小物入れを得たことを特徴とする多用途収納空間を設けた指輪
【請求項２】
本体リング部（５）に開閉式接続収納部（６）（６）を設け、小物入れを得たことを特徴とする多用途収納空間を設けた指輪
【考案の詳細な説明】
【考案の詳細な説明】
【技術分野】
【０００１】従来より装身具としては写真の入れられるペンダント等はあった。
【背景技術】
【０００２】従来より装身具においての用途でペンダント等や写真、その他特殊な用途によっての収納空間のある装身具はあったが、指輪においての多用途な小物入れのあるものはなく、宝石や装飾目的などの用途のものしかなかった。
【考案が解決しようとする課題】
【０００３】これは次のような欠点があった。
（イ）従来指輪は装飾が主で、小物入れの多用途収納スペースのものはなく、不意に必要な時などは財布に入れる、ポケットに入れる、などその場しのぎで保管できる方法しかなかった。
（ロ）外出中や仕事中などであまり手が離せないときなど、不意ですぐに小物や例えば眼鏡のネジなどを保管しようとするケースがない場合、置いた場所を忘れるなど無くしてしまう、落としてわからなくなってしまうことなどがあった。
（ハ）結婚、儀式などに思い出、記念の小物を入れて指輪のプレゼントや、お互い交換するものはなかった。
本考案は、以上の欠点を解決するために考案されたものである。
【課題を解決するための手段】
【０００４】
【図１】
は本体（１）のリングと一体となった収納部（２）に蓋部（３）（３）を設け、小物入れを得たことを特徴とする多用途収納空間を設けた指輪である。
【図２】
は本体リング部（５）に開閉式接続収納部（６）（６）を設け、小物入れを得たことを特徴とする多用途収納空間を設けた指輪である。
【考案を実施するための最良の形態】
【０００５】以下、本考案の実施の形態を説明する。
（イ）
【図１】
の本体（１）のリングと一体となった収納部（２）に蓋部（３）（３）を設ける。
（ロ）本考案は以上のような構造でこれを使用するときは収納部（２）に小物等を入れ、蓋部（３）を閉じて凸形フック部（４）で固定して密閉する。
（ハ）
【図２】
の本体リング部（５）に開閉式接続収納部（６）（６）を設ける。
（ニ）本考案は以上のような構造でこれを使用するときは開閉式接続収納部（６）を開き小物等を入れて閉め、図３に示すようなフック部（７）で固定して密閉する。
これにより小物を簡単に収納保管することができる。
【考案の効果】
【０００６】必要小物を急な保管を要する時や、その他多目的に使用できるため、普段している指輪に小物入れを設けることで邪魔にならずに保管することができ、プレゼントにする時は思い出、記念の小物を収納して渡すことができ、通常の指輪とは違った感動を与えることもできる。また、外観は通常の指輪と変らないため小物入れと気付かれることも少ない。
【図面の簡単な説明】
【図１】本考案の請求項１の斜視図
【図２】本考案の請求項２の斜視図
【図３】本考案の開閉状態を示す斜視図
【符号の説明】
１  本体
２  本体収納部
３  蓋部
４  凸形フック部
５  本体リング部
６  開閉式接続収納部
７  凸形フック部
【図１】
0003111424.tif 000003
【図２】
0003111424.tif 000004
【図３】
0003111424.tif 000005
(57)【要約】【課題】  熱湯の飛散によって作業者の手が火傷する等の危険を解消するオーバーフロー管構造を備えた業務用茹麺機を提供する。【解決手段】  湯槽内のアク、ヌメリ、カス等を溜めながら湯槽外に排出させるためのオーバーフロー管を備えた業務用茹麺機であって、前記オーバーフロー管には、該オーバーフロー管の円筒形主管部の口径よりも細径であり、前記円筒形主管部の長さよりも短く、水流の流入横穴を形成してなる下方円筒部が連設されることを特徴とする業務用茹麺機。【選択図】  図５
0003111430.tif 000002
【実用新案登録請求の範囲】
【請求項１】
湯槽内のアク、ヌメリ、カス等を溜めながら湯槽外に排出させるためのオーバーフロー管を備えた業務用茹麺機であって、前記オーバーフロー管には、該オーバーフロー管の円筒形主管部の口径よりも細径であり、前記円筒形主管部の長さよりも短く、水流の流入横穴を形成してなる下方円筒部が連設されることを特徴とする業務用茹麺機。
【考案の詳細な説明】
【技術分野】
【０００１】  本考案は食堂、レストラン等の調理場で使用する麺類の業務用茹麺機に関する。
【背景技術】
【０００２】  従来、斯種の業務用茹麺機には、湯槽内のアク、ヌメリ、カス等の異物を溜めながら湯槽外に排水させるためのオーバーフロー管が設置されている。
【考案の開示】
【考案が解決しようとする課題】
【０００３】  図１、図２は従来の円筒形オーバーフロー管を具備した業務用茹麺機の構造概略図を示しており、茹麺機１の円筒形オーバーフロー管２の上部には、湯槽３内の水位を一定に保つためのオーバーフロー用開口部４が穿設され、図１に示す使用時には、前記オーバーフロー用開口部４より湯槽３内の湯がオーバーフローされる。また図２に示すように、円筒形オーバーフロー管２の栓５を図２の矢印方向へ引き抜くと、湯槽３内の湯が湯槽３の底部に設けた排水口６より排水されるようになっている。【０００４】  ところで、上記従来の業務用茹麺機における円筒形オーバーフロー管構造にあっては、円筒形オーバーフロー管２の栓を引き抜いた場合、該オーバーフロー管２内の水位が急速に上昇することになる。そのため、前記オーバーフロー管２の上部に穿設したオーバーフロー管用開口部４より熱湯が勢いよく飛散して、作業者の手に熱湯がかかり火傷を蒙るという危険性があって、茹麺作業における安全保持の支障となっていた。【０００５】  本考案は斯かる問題点に着目して創案された業務用茹麺機であって、詳しくは本考案の目的は、前記従来のように、オーバーフロー管内の水位が急速に上昇し、該オーバーフロー管のオーバーフロー用開口部より熱湯が飛散し、作業者の手に火傷等の危害を与えるのを未然に防止することができるオーバーフロー管構造を具備する業務用茹麺機を提供するにある。
【考案が解決するための手段】
【０００６】  本考案は、湯槽内のアク、ヌメリ、カス等を溜めながら湯槽外に排出させるためのオーバーフロー管を備えた業務用茹麺機であって、前記オーバーフロー管には、該オーバーフロー管の円筒形主管部の口径よりも細径であり、前記円筒形主管部の長さよりも短く、水流の流入横穴を形成してなる下方円筒部が連設されることを特徴とする業務用茹麺機である。
【考案の効果】
【０００７】  本考案は、請求項１記載の解決手段で実施され、以下に記載されるような効果を奏する。
【０００８】  本考案は、湯槽１２内のアク、ヌメリ、カス等を溜めながら湯槽１２外に排出させるためのオーバーフロー管１６の円筒形主管部１７に該主管部１７の口径よりも細径であり、かつ、該主管部１７の長さよりも短く形成される下方円筒部１８が形成されているので、オーバーフロー管１６の栓２０を図６及び図６矢示方向に引き抜くと、オーバーフロー管１６内の水位は急速に上昇することなく、緩慢状態を保持して上昇する。そのため、オーバーフロー管１６に設けたオーバーフロー用開口部１９より熱湯が外に飛散する弊害を解消し、熱湯飛散によって作業者が火傷するような危険を防止できる。また、これによって麺茹作業の安全性向上に役立つという効果を発揮する。
【課題を実施するための最良の形態】
【０００９】  本考案の実施形態を図３ないし図６に基づき説明すると、図３は、茹麺機の全体構造概略図、図４はオーバーフロー管の使用時状態を示す概略図、図５はオーバーフロー管の排水時状態を示す概略図、図６は下方円筒部の構造説明図である。
【００１０】  図３に示す符号１１は茹麺機本体、１２は湯槽、１３は加熱用ヒーター等の熱源、１４は給水管、１５は排水口、１６は湯槽内に設置するオーバーフロー管、１７はオーバーフロー管の円筒形主管部を示し、該主管部１７には、該主管部１７の口径よりも細径であり、前記円筒形主管部１７の長さよりも短く形成されるオーバーフロー管の下方円筒部１８が連設されている。
また、前記オーバーフロー管１６の主管部１７上方には、オーバーフロー用開口部１９が設けられている。図中２０は、オーバーフロー管１６の栓を示している。また、図中符号２１は前記下方円筒部１８に穿設した水流の流入横穴を示している。
【００１１】  この構造において、オーバーフロー管１６の栓２０を引き抜くと、オーバーフロー管１６の下方円筒部１８の周囲に穿設される横穴２１より前記下方円筒部１８内に水流が流入し、衝突が起こり、次に、前記下方円筒部１８内の下部から該円筒部１８内の上方に指向して水流が流入される。しかし、前記したように、下方円筒部１８の周囲から、該円筒部１８の内部に水流が流入し、水流の衝突が生じるため、前記下方円筒部１８内の下方から該下方円筒部１８内の上向に指向する水流の勢いは遮断され、それによって、オーバーフロー管１６内の水位は急速に上昇する。そのためオーバーフロー管１６のオーバーフロー用開口部１９より熱湯が飛散するのを防止することが可能になる。
【００１２】  然して本考案によれば、麺茹作業の安全性向上に有益である。
【図面の簡単な説明】
【図１】図１は、従来のオーバーフロー管を具備した茹麺機構造の概略図で、オーバーフロー管の使用時状態を示している。
【図２】図２は、図１に関連した茹麺機の構造概略図で、オーバーフロ管の排水時状態を示している。
【図３】図３は本考案に係る茹麺機の構造概略図を示している。
【図４】図４は図３に関連した茹麺機の構造概略図で、オーバーフロー管の使用時状態を示している。
【図５】図５は図３及び図４に関連した茹麺機の構造概略図で、オーバーフロー管の排水時状態を示している。
【図６】本考案要部の構造説明図
【符号の説明】
１１    茹麺機本体
１２    湯槽
１３    加熱用ヒーター
１４    給水管
１５    排水口
１６    オーバーフロー管
１７    オーバーフロー管の主管部
１８    オーバーフロー管の下方円筒部
１９    オーバーフロー管用開口部
２０    オーバーフロー管の栓
２１    水流の流入横穴
【図１】
0003111430.tif 000003
【図２】
0003111430.tif 000004
【図３】
0003111430.tif 000005
【図４】
0003111430.tif 000006
【図５】
0003111430.tif 000007
【図６】
0003111430.tif 000008
(57)【要約】      （修正有）【課題】使用上の快適性と便利性を増加した生理用ナプキンの構造の改良。【解決手段】本体に吸収綿体が設けられ、該吸収綿体が前が小さく後ろが大きい設計とされ、本体の別面に大面積の粘着面が設けられて本体を下着に粘着させるのに供され、吸収綿体の前から後ろの大面積でカバーし且つ長く幅広の設計により、使用者が夜間の睡眠状態の時或いは流量が比較的多い時に使用して、漏れにくい効果を有し、使用して快適な効果を有する。【選択図】図１
0003111481.tif 000002
【実用新案登録請求の範囲】
【請求項１】
本体に吸収綿体が設けられ、且つ該吸収綿体が前が小さく後ろが大きい長く幅広の設計とされ、本体の別面に大面積の粘着面が設けられて本体を下着に粘着するのに供され、該吸収綿体が前から後ろに大面積でカバーし、使用者が夜間睡眠状態時或いは流量が多い時に使用して経血を漏らしにくく、使用して快適であることを特徴とする、生理用ナプキン。
【考案の詳細な説明】
【技術分野】
【０００１】
本考案は一種の生理用ナプキンに係り、特に女性の生理周期に使用される衛生用品領域に関する。
【背景技術】
【０００２】
現在周知の生理用ナプキンは、図６に示されるように、吸収性主体２０を具え、該吸収性主体２０の左右の対向側辺に羽根２１が設けられ、使用時には羽根２１が下着を包囲するように下着外側に固定される。ただしこのような製品には多くの欠点が存在する。その吸収性主体２０の設計は長条状とされ、吸収性主体２０の後方には幅広で長い設計がなく、ゆえに臀部被覆の効果が低く、流量が大きい時や夜間睡眠状態の時に、吸収面体のカバー面積が不足し、経血が漏れる問題が形成される。総合すると、この構造は使用上、既存の目的を達成するが、尚も多くの欠点が存在し、ゆえに改良の必要がある。
【考案の開示】
【考案が解決しようとする課題】
【０００３】
本考案は使用上の快適性と便利性を増加した生理用ナプキンを提供するものである。
【０００４】
本考案の目的は、一種の生理用ナプキンを提供することにあり、それはカバー面積が大きく且つ夜間使用時に漏れを発生しにくい生理用ナプキンであるものとする。
【課題を解決するための手段】
【０００５】
請求項１の考案は、本体に吸収綿体が設けられ、且つ該吸収綿体が前が小さく後ろが大きい長く幅広の設計とされ、本体の別面に大面積の粘着面が設けられて本体を下着に粘着するのに供され、該吸収綿体が前から後ろに大面積でカバーし、使用者が夜間睡眠状態時或いは流量が多い時に使用して経血を漏らしにくく、使用して快適であることを特徴とする、生理用ナプキンとしている。
【考案の効果】
【０００６】
本発明の生理用ナプキンは、本体に吸収綿体が設けられ、該吸収綿体が前が小さく後ろが大きい設計とされ、本体の別面に大面積の粘着面が設けられて本体を下着に粘着させるのに供され、吸収綿体の前から後ろの大面積でカバーし且つ長く幅広の設計により、使用者が夜間の睡眠状態の時或いは流量が比較的多い時に使用して、漏れにくい効果を有し、使用して快適な効果を有する。
【考案を実施するための最良の形態】
【０００７】
図１から図５に示されるように、本考案は一種の生理用ナプキンを提供し、それは、本体１０を具え、該本体１０に吸収綿体１１が設けられ、該吸収綿体１１に前が小さく後ろが大きい設計が採用され、前から後ろに大きくなる面積により使用者の臀部上端まで被覆でき、また、本体１０の別面に大面積の粘着面１２が設けられ、使用時に本体１０を下着３０に粘着させる。
【０００８】
以上の構造により、本発明の生理用ナプキンが完成する。
【０００９】
図４、５の本発明の使用状態参考図に示されるように、吸収綿体１１のカバーする面積は大きく且つ臀部上端まで被覆できるため、使用者が仰臥或いは横向きに寝た状態で、経血の漏れを心配する必要がない。
【図面の簡単な説明】
【００１０】
【図１】本考案の立体外観図である。
【図２】本考案の平面図である。
【図３】本考案の側面図である。
【図４】本考案の粘着使用状態参考図である。
【図５】本考案の実際の使用状態参考図である。
【図６】周知の技術の参考図である。
【符号の説明】
【００１１】
１０  本体
１１  吸収綿体
１２  粘着面
２０  吸収性主体
２１  羽根
３０  下着
【図１】
0003111481.tif 000003
【図２】
0003111481.tif 000004
【図３】
0003111481.tif 000005
【図４】
0003111481.tif 000006
【図５】
0003111481.tif 000007
【図６】
0003111481.tif 000008
(57)【要約】【課題】  パンティー型生理用ナプキンの提供。【解決手段】  パンティーに吸収綿体が設けられたパンティー型生理用ナプキンにおいて、吸収綿体が一体にパンティーに設けられ、且つ該吸収綿体が前から後ろに大面積でカバーする長く幅広の設計とされ、夜間睡眠時に経血の外漏れを防止し、安眠の効果を達成し、価格が低廉である弾性材料で製造されて、ディスポーザブルで、コストの問題を心配する必要がないよう形成されたことを特徴とする。【選択図】        図１
0003111482.tif 000002
【実用新案登録請求の範囲】
【請求項１】
パンティーに吸収綿体が設けられたパンティー型生理用ナプキンにおいて、吸収綿体が一体にパンティーに設けられ、且つ該吸収綿体が前から後ろに大面積でカバーし、夜間睡眠時に寝返りを打つ時に形成される漏れの問題を防止でき、夜間の安眠を提供し、且つ価格が低廉な弾性材料で形成されてディスポーザブルであり、コストの問題がないことを特徴とする、パンティー型生理用ナプキン。
【考案の詳細な説明】
【技術分野】
【０００１】
本考案は一種のパンティー型生理用ナプキンに係り、特に、女性の生理周期に使用される衛生用品領域に関する。
【背景技術】
【０００２】
現在周知のパンティー型生理用ナプキンは図５に示されるように、パンティー１０内に一般の生理用ナプキンと同様の長条式吸収綿体１１が設けられ、該吸収綿体１１は前から後ろに女性の陰部を被覆し、そのパンティー１０の全体外形は、腰孔１２と二つの足孔１３が設けられた設計とされる。この構造は、使用上、既存の目的を達成するとはいえ、欠点と不便なところが存在する。例えば、流量が大きい時及び夜間使用時に漏れを発生しやすい。吸収綿体の設計は長条状とされ、大面積の吸収綿体で臀部を被覆するのではなく、流量が大きい時や夜間の睡眠状態で使用する時、吸収綿体のカバー面積が不足して経血が漏れる問題を発生する。
【考案の開示】
【考案が解決しようとする課題】
【０００３】
本考案は使用上の快適性を増したパンティー型生理用ナプキンを提供するものである。
【０００４】
本考案は一種のパンティー型生理用ナプキンを提供し、それはパンティーと生理用ナプキンの機能を具備し、且つカバー面積が大きく漏れを発生しにくく、夜間使用時に漏れを発生しにくいパンティー型生理用ナプキンであるものとする。
【課題を解決するための手段】
【０００５】
請求項１の考案は、パンティーに吸収綿体が設けられたパンティー型生理用ナプキンにおいて、吸収綿体が一体にパンティーに設けられ、且つ該吸収綿体が前から後ろに大面積でカバーし、夜間睡眠時に寝返りを打つ時に形成される漏れの問題を防止でき、夜間の安眠を提供し、且つ価格が低廉な弾性材料で形成されてディスポーザブルであり、コストの問題がないことを特徴とする、パンティー型生理用ナプキンとしている。
【考案の効果】
【０００６】
本考案はパンティーに吸収綿体が設けられたパンティー型生理用ナプキンにおいて、吸収綿体が一体にパンティーに設けられ、且つ該吸収綿体が前から後ろに大面積でカバーする長く幅広の設計とされ、夜間睡眠時に経血の外漏れを防止し、安眠の効果を達成し、価格が低廉である弾性材料で製造されて、ディスポーザブルで、コストの問題を心配する必要がないよう形成されたことを特徴とする。
【考案を実施するための最良の形態】
【０００７】
図１から図３に示されるように、本考案のパンティー型生理用ナプキンはパンティー１０を具え、該パンティー１０に腰孔１２と二つの足孔１３が設けられ、二つの足孔１３の間に吸収綿体１１が設けられ、該吸収綿体に長く幅広の設計が採用され、前から後ろに使用者の臀部上端（図示せず）まで被覆する。
【０００８】
以上の構造により本考案の夜型のパンティー型生理用ナプキンが完成する。
【０００９】
使用時には、図１、４に示されるように、使用者は吸収綿体１１によりカバーされる面積が大きく臀部上端まで被覆されるため、仰臥しても横向きに寝ても経血が漏れる心配をする必要がない。
【００１０】
総合すると、本考案は上述の機能と目的を達成し、ゆえに本考案は実用新案登録の要件を具備するものである。
【図面の簡単な説明】
【００１１】
【図１】本考案の立体外観図である。
【図２】本考案の２−２断面図である。
【図３】本考案の別の実施例参考図である。
【図４】本考案の使用状態参考図である。
【図５】周知の技術の使用状態参考図である。
【符号の説明】
【００１２】
１０  パンティー
１１  吸収綿体
１２  腰孔
１３  足孔
【図１】
0003111482.tif 000003
【図２】
0003111482.tif 000004
【図３】
0003111482.tif 000005
【図４】
0003111482.tif 000006
【図５】
0003111482.tif 000007
(57)【要約】【課題】本考案底部突起付き容器を使用することにより、風呂場、洗面所、台所で使用するシャンプー、リンス、液体石鹸、液体洗剤等の容器本体底部（１）とシャンプー、リンス、液体石鹸、液体洗剤等の容器を設置している場所との間の水はけを良くし、シャンプー、リンス、液体石鹸、液体洗剤等の容器本体底部（１）とシャンプー、リンス、液体石鹸、液体洗剤等の容器を設置している場所とに発生する水垢及びカビを防ぐ。【解決手段】本考案底部突起付き容器は、風呂場、洗面所、台所で使用するシャンプー、リンス、液体石鹸、液体洗剤等の容器本体底部（１）に突起（２）を付け、シャンプー、リンス、液体石鹸、液体洗剤等の容器本体底部（１）とシャンプー、リンス、液体石鹸、液体洗剤等の容器を設置している場所とに発生する水垢及びカビを防ぐ。突起（２）の高さはシャンプー、リンス、液体石鹸、液体洗剤等の容器本体底部（１）と、シャンプー、リンス、液体石鹸、液体洗剤等の容器の設置場所との間の水がうまくはける高さとする。【選択図】図１
0003111841.tif 000002
【実用新案登録請求の範囲】
【請求項１】
風呂場、洗面所、台所に置いて使用するシャンプー、リンス、液体石鹸、液体洗剤等の容器本体底部（１）に突起（２）を付けた、底部突起付き容器。
【考案の詳細な説明】
【技術分野】
【０００１】  本考案は、風呂場、洗面所、台所において使用するシャンプー、リンス、液体石鹸、液体洗剤等の容器本体底部（１）に突起（２）を付けた、容器の底部と設置場所との間に発生する水垢及びカビを防ぐための水はけの良い底部突起付き容器に関するものである。
【背景技術】
【０００２】  現在使用されているシャンプー、リンス、液体石鹸、液体洗剤等の容器はその容器の上部や内部の形態について工夫され、利用されているものがほとんどであり、容器本体底部については中央を凹ませている形態が多くを占めている。
【考案の開示】
【考案が解決しようとする課題】
【０００３】  しかしながら、その形態ではシャンプー、リンス、液体石鹸、液体洗剤等の容器本体底部（１）と設置場所との間にたまった水がうまくはけることが出来ず、常に容器の底部と設置している場所との間に水がたまり、水垢及びカビが発生しやすく非常に不衛生である。【０００４】  この改善策として風呂場、洗面所、台所において使用するシャンプー、リンス、液体石鹸、液体洗剤等の容器本体底部（１）と設置場所との間に隙間を作り、水はけをよくすることでシャンプー、リンス、液体石鹸、液体洗剤等の容器本体底部（１）と設置場所との間に発生する水垢及びカビを防ぐことが可能になる。
【特許文献１】特願平８−２１２８２１号公報
【０００５】  解決しようとする課題は、風呂場、洗面所、台所において使用するシャンプー、リンス、液体石鹸、液体洗剤等の容器本体底部（１）と設置場所との間に水がたまり発生する水垢及びカビを防ぐことができる底部突起付き容器を提供することにある。
【課題を解決するための手段】
【０００６】  上記課題を解決するため、本考案底部突起付き容器は風呂場、洗面所、台所において使用するシャンプー、リンス、液体石鹸、液体洗剤等の容器本体底部（１）に突起（２）を付けシャンプー、リンス、液体石鹸、液体洗剤等の容器本体底部（１）と容器を設置している場所との間に隙間を作り、水はけを良くする。
【考案の効果】
【０００７】  本考案底部突起付き容器を使用することにより、風呂場、洗面所、台所において使用するシャンプー、リンス、液体石鹸、液体洗剤等の容器本体底部（１）と、シャンプー、リンス、液体石鹸、液体洗剤等の容器を設置している場所との間に隙間を作ることでシャンプー、リンス、液体石鹸、液体洗剤等の容器本体底部（１）と設置場所との間の水はけが良くなり、風呂場、洗面所、台所において使用するシャンプー、リンス、液体石鹸、液体洗剤等の容器本体底部（１）と、シャンプー、リンス、液体石鹸、液体洗剤等の容器の設置場所との間に発生する水垢及びカビを防ぐことが出来る。
【考案を実施するための最良の形態】
【０００８】  本考案底部突起付き容器は、図１、図２に示すように風呂場、洗面所、台所において使用するシャンプー、リンス、液体石鹸、液体洗剤等の容器本体底部（１）に突起（２）を付ける。突起（２）の高さはシャンプー、リンス、液体石鹸、液体洗剤等の容器本体底部（１）と、シャンプー、リンス、液体石鹸、液体洗剤等の容器を設置している場所との間で水がうまくはける高さとし、突起（２）の数はシャンプー、リンス、液体石鹸、液体洗剤等の容器を使用した場合容器本体が不安定にならない数にする。【０００９】  風呂場、洗面所、台所において使用するシャンプー、リンス、液体石鹸、液体洗剤等の容器本体底部（１）の突起（２）の形態は、容器を倒してしまった場合においても又、誤って身体、もしくは身体の一部に接触してしまった場合においても危険のない円形にする。
【実施例１】
【００１０】  本考案底部突起付き容器は、風呂場、洗面所、台所において使用するシャンプー、リンス、液体石鹸、液体洗剤等の容器本体底部（１）に突起（２）を付けることによりシャンプー、リンス、液体石鹸、液体洗剤等の容器本体底部（１）とシャンプー、リンス、液体石鹸、液体洗剤等の容器を設置している場所との間の水はけを良くし、シャンプー、リンス、液体石鹸、液体洗剤等の容器本体底部（１）とシャンプー、リンス、液体石鹸、液体洗剤等の容器を設置している場所とに発生する水垢及びカビを防ぐ。
【産業上の利用可能性】
【００１１】  、一般の家庭だけでなく、公衆の施設でも、風呂場、洗面所、台所の衛生管理は重要であり、本考案底部突起付き容器を使用することにより風呂場、洗面所、台所において使用するシャンプー、リンス、液体石鹸、液体洗剤等の容器本体底部（１）とシャンプー、リンス、液体石鹸、液体洗剤等の容器を設置している場所とに発生する水垢及びカビを防ぐことが出来ることで、清掃時の負担を軽減することが出来、一般の家庭だけでなく、公衆の施設での衛生管理の点からも有効である。
【図面の簡単な説明】
【００１２】
【図１】底部突起付き容器の容器本体底部（１）と突起（２）を横から見た図である。（実施例１）
【図２】底部突起付き容器の容器本体底部（１）と突起（２）を下から見た図である。（実施例２）
【符号の説明】
【００１３】    １    容器本体底部
２    突起
【図１】
0003111841.tif 000003
【図２】
0003111841.tif 000004
(57)【要約】【課題】本考案は洗浄、清掃において、ナイロン製生地を数枚重ねて縫い合わせることにより、従来のスポンジと同等の泡がたつことで汚れを落し、また磨耗した分位のみ切り除いて再度使用可能にする、しかも生地の特製に着目した通気性と衛生面や経済的負担を軽減する。【解決手段】本考案はナイロン製生地を、手のひらサイズに裁断し数枚重ねて縫い袋状にすることにより、洗浄、清掃に役に立つ。【選択図】図１
0003111844.tif 000002
【実用新案登録請求の範囲】
【請求項１】
ナイロン製生地を数枚重ねて、折り返し縫い合わせた、袋状洗浄清掃用具。
【考案の詳細な説明】
【考案の詳細な説明】
【技術分野】
【０００１】本考案は、洗浄、清掃に使用するたわし、スポンジ類に代わるものである。
【背景技術】
【０００２】  従来のたわし、スポンジ等においては、洗浄清掃する事により磨耗し効力が薄れてしまう。
【考案が解決しようとする課題】
【０００３】  洗浄、清掃において磨耗することで効力の低下を解決し、経済的負担を軽減するところにある。
【課題を解決するために手段】
【０００４】  本考案は、ナイロン製の生地を数枚重ねて縫い合わせ袋状にすることにより磨耗した分位のみきり除くことで、本考案が期待する効果が再度発揮でき、しかも生地の特製に着目し、通気性にすぐれ、衛生等の問題や経済的負担を軽減できるところにある。
【考案を実施するための最良の形態】
【０００５】  浴用にて身体を洗うナイロン製の生地を、手のひらサイズに裁断し縫いしろをとり数枚重ねて直線にて縫い、カーブ部分に切り込みを入れ縫い合わせて袋状にします。
【実施例】
【０００６】  以下、添付図面に従って実施例を説明する。１は浴用ナイロン製生地、２は折り返縫した縫い代、３はミシン目、４は手入り口
【考案の効果】
【０００７】  本考案は、ナイロン製の生地を数枚重ねて縫い合わせることにより磨耗した分位のみきり除けば再度使用が可能である、しかも生地の特製を考慮し重ねて縫い合わせることによりスポンジ同等の泡立てが可能で、また通気性にすぐれヌメリ等の発生期間が少なく衛生面における問題にも対処し経済的負担が少ない洗浄清掃用具として適している。
【図面の簡単な説明】
【０００８】
【図１】本考案の実施例を示す正面図である。
【図２】本考案の一部切欠断面図である。
【符号の説明】
【０００９】１  ナイロン製生地
２  折り返し縫いした縫いしろ
３  ミシン目
４  手入り口
【図１】
0003111844.tif 000003
【図２】
0003111844.tif 000004
(57)【要約】【課題】  土のうの形状を長方形状にする事により均一の土のうを提供する。【解決手段】  土のう袋に中込材を投入後、袋口を環縫いで閉じる事により、長方形状の形状をした土のうになる。長方形の形状の整った土のうを、敷き詰めると隣り合った土のうとの間の隙間が小さくなり、間詰めが大幅に減少する。  伸びる特性を持つ環縫いで、圧迫する力が加わっても、土のう袋を破損する事が無く、容易に安定した土のうの提供が出来る。【選択図】  図  ５
0003111847.tif 000002
【実用新案登録請求の範囲】
【請求項１】
土のう袋の口を、環縫いで閉じた、長方形状の土のう。
【考案の詳細な説明】
【技術分野】
【０００１】  本考案は、土木工事、防災、災害復旧等に用いる土のうに関する。
【背景技術】
【０００２】  一般的に使用されている土のうは、土のう袋に中込材を入れた後、袋口に通してある紐を引き絞り、巾着状態にして、その紐をさらに２〜３回袋口に回し絡めて袋口を閉めて使用。
【考案が解決しようとする課題】
【０００３】  このような従来の土のうでは、袋口に装着してある紐を、引き絞って袋口を閉じる為、図２で示すように、底辺と上部に寸法的な差ができ、土木工事等、土のうを均一に敷設したい場合は並べると、図４のように隣の土のうとの間の隙間が大きく開き、又積上げる場合は不安定で、敷設時に間詰め等、別の作業を行わなければならないと言う問題点がある。
【課題を解決する為の手段】
【０００４】  本考案は、土のう袋に中込材を入れた後、土のうの袋口を環縫いして閉じ、形状を長方形状にする。環縫いで袋口を閉じるのは、縫い目が伸びる特徴があるので、圧迫する力が加わっても土のう袋を破損することなく、長方形状の形状を一定に保つことが出来る。
【考案の効果】
【０００５】  本考案の土のうは、図３に示す様に、形状が長方形状になるので、土木工事等均一に敷き詰めた場合、図５で示す通り、隣り合わせになる土のうとの隙間が少なくなり、間詰め等の作業が軽減される。又積上げる工事では、形状が一定となるので、安定して容易、安全に積上げる事が出来、また環縫いの縫い目の伸びる特徴により強度が増し、土木工事、基礎工事等に使用するのに好ましい。
【実施例】
【０００６】  図４は従来の土のうを敷き並べた図である。図５は本考案の袋口を環縫いで閉じた土のうを敷き並べた図である。
【産業上の利用可能性】
【０００７】  本考案の土のうは、工場、住宅、機械プラント、護岸、擁壁等建設の際、軟弱地盤等の強化工事に適している。【０００８】  特に国道等、大型車輌が頻繁に通行する道路の建設工事、又それが住宅地の中、近辺にかかる場合、アスファルト敷設前の基礎工事に使用すると、振動が大幅に減少し、振動公害の防止に適している。【０００９】  予測できる災害、台風、異常潮位などの場合は、想定範囲の地域に予め土のうを積み上げる事が行われるが、その場合本考案の土のうは、形状が安定している為、容易に積み上げる事が出来るので、事前の防災に適している。
【図面の簡単な説明】
【００１０】
【図１】  市販されている土のう袋。
【図２】  従来の工法の、袋口を引き絞り作った巾着の形状をした土のう。
【図３】  本考案の、袋口を環縫いにより閉じた、長方形に形状の整った土のう。
【図４】  従来形の巾着の形状の土のうを、敷き並べた図。形状が一定していない為、隣り合わせの土のうとの間に隙間が大きく出来る。
【図５】  本考案の長方形状の特徴のある形状の土のうを、敷き並べた図。環縫いにより形状が長方形になり、且つ又寸法をそろえる事が出来る為、隣り合った土のうとの間に出来る隙間が、少ない。
【符号の説明】
【００１１】      １．  土のう袋
２．  ひも
３．  巾着形土のう
４．  袋口
５．  角形土のう
６．  環縫い袋口
【図１】
0003111847.tif 000003
【図２】
0003111847.tif 000004
【図３】
0003111847.tif 000005
【図４】
0003111847.tif 000006
【図５】
0003111847.tif 000007
(57)【要約】【課題】  丸カンやＣカンを開いたり、閉じたりする際に指に怪我などせずに作業を行えるようにする。【解決手段】  溝付の金具１を指輪２に取り付けた道具でペンチ３を使用して丸カンやＣカンを開いたり、閉じたりする。【選択図】  図３
0003111848.tif 000002
【実用新案登録請求の範囲】
【請求項１】
立体の溝付の金属１を指輪２に取り付け、丸カンやＣカン等をペンチ３を使用して開いたり、閉じたりする道具
【考案の詳細な説明】
【考案の詳細な説明】
【考案が解決しようとする課題】
【０００１】  従来、指輪に貫通した溝を切ってあった道具は存在していたが、この種の道具は、貫通した溝のため、丸カンやＣカンを開いたり閉じたりする作業の際に怪我をしたり、指輪と指の隙間に丸カンやＣカンが入り込むという問題点を有していた。
【課題を解決するための手段】
【０００２】  上記の問題点を解決するため、立体の金属に溝を付け金属製の指輪に取り付ける。
【考案の効果】
【０００３】  立体の溝付金属を取り付けた事により、指に丸カンやＣカンが直接触れることがなくなり、貫通した丸カンやＣカンによる怪我や指と指輪の間に入り込んでしまうという事が解消できる。
【図面の簡単な説明】
【図１】立体の金属部分の斜視図である。
【図２】本体の断面図である。
【図３】実際に使用した場合の斜視図である。
【符号の説明】
１  立体の溝付の金具
２  指輪
３  ペンチ
【図１】
0003111848.tif 000003
【図２】
0003111848.tif 000004
【図３】
0003111848.tif 000005